(57)【要約】【課題】上蓋（天板）が浮き上がりにくい組箱を提供すること。【解決手段】上面視方形状の収容部の上端一辺に、上蓋が開閉自在に取り付けられていると共に、前記上端一辺と隣合う上端二辺にそれぞれフラップが内側に向って取り付けられ、前記上蓋の先端に設けた差込み部を、前面板の内面側に差し込むようにして閉蓋する組箱において、上蓋の左及び右外側に同一平面上に伸びる膨み防止板を設け、前記膨み防止板と上蓋との境目を折り罫線やハーフカットで折り曲げて上蓋に膨み防止板を貼り付け、上蓋の反り返りを防止し、上蓋の開閉支点側と膨み防止板の下側部とは、上蓋開閉時において相互に緩衝しないように離れている。【選択図】図１
2011057273.tif 000002
【特許請求の範囲】
【請求項１】
上面視方形状の収容部の上端一辺に、上蓋が開閉自在に取り付けられていると共に、前記上端一辺と隣合う上端二辺にそれぞれフラップが内側に向って取り付けられ、前記上蓋の先端に設けた差込み部を、前面板の内面側に差し込むようにして閉蓋する組箱において、上蓋の左及び右外側に同一平面上に伸びる膨み防止板を設け、前記膨み防止板と上蓋との境目を折り罫線やハーフカットで折り曲げて上蓋に膨み防止板を貼り付け、上蓋の反り返りを防止し、上蓋の開閉支点側と膨み防止板の下側部とは、上蓋開閉時において相互に緩衝しないように離れていることを特徴とする組箱。
【請求項２】
差込み部を前面板の内側に挿入した状態では、膨み防止板と差込み部とが緩衝しないようにしてあることを特徴とする請求項１記載の組箱。
【請求項３】
上面視方形状の収容部の上端一辺と上蓋との間は、ミシン目やリード罫で形成されていることを特徴とする請求項１又は２記載の組箱。
【請求項４】
上端一辺と隣合う上端二辺とフラップとの間は、ミシン目やリード罫で形成されていることを特徴とする請求項１乃至３にいずれかに記載の組箱。
【請求項５】
差込み部と上蓋との間は、ミシン目やリード罫で形成されていることを特徴とする請求項１乃至４のいずれかに記載の組箱。
【発明の詳細な説明】
【技術分野】
【０００１】
この発明は、組箱の組み上がり状態において、上蓋（天面）が浮き上がりにくい形態のケースに関するものである。
【背景技術】
【０００２】
組箱の組み上がり状態において、上蓋が浮き上がっていると隙間ができ、この隙間からゴミ、埃や虫等の異物が組箱内に侵入する。したがって、医薬品や食品のケースでは密閉性が強く望まれる。
【０００３】
また、上蓋が浮き上がっていると、組箱を重ね置くことが困難である。
【０００４】
したがって、組箱を使用する業界では、蓋（天板）が浮き上がりにくい組箱が開発されることを待ち望んでいる。
【先行技術文献】
【特許文献】
【０００５】
【特許文献１】特開２００７−２３８１０３号公報
【発明の概要】
【発明が解決しようとする課題】
【０００６】
そこで、この発明では、上蓋（天板）が浮き上がりにくい組箱を提供することを課題とする。
【課題を解決するための手段】
【０００７】
（請求項１記載の発明）
この発明の組箱は、上面視方形状の収容部の上端一辺に、上蓋が開閉自在に取り付けられていると共に、前記上端一辺と隣合う上端二辺にそれぞれフラップが内側に向って取り付けられ、前記上蓋の先端に設けた差込み部を、前面板の内面側に差し込むようにして閉蓋する組箱において、上蓋の左及び右外側に同一平面上に伸びる膨み防止板を設け、前記膨み防止板と上蓋との境目を折り罫線やハーフカットで折り曲げて上蓋に膨み防止板を貼り付け、上蓋の反り返りを防止し、上蓋の開閉支点側と膨み防止板の下側部とは、上蓋開閉時において相互に緩衝しないように離れている。
【０００８】
（請求項２記載の発明）
この発明の組み箱は、上記請求項１記載の発明に関し、差込み部５を前面板３０の内側に挿入した状態では、膨み防止板２０と差込み部５とが緩衝しないようにしてある。
【０００９】
（請求項３記載の発明）
この発明の組箱は、上記請求項１又は２記載の発明に関し、上面視方形状の収容部の上端一辺と上蓋との間は、ミシン目やリード罫で形成されている。
【００１０】
（請求項４記載の発明）
この発明の組箱は、上記請求項１乃至３記載の発明に関し、上端一辺と隣合う上端二辺とフラップとの間は、ミシン目やリード罫で形成されている。
【００１１】
（請求項５記載の発明）
この発明の組箱は、上記請求項１乃至４のいずれかに記載の発明に関し、差込み部と上蓋との間は、ミシン目やリード罫で形成されている。
【発明の効果】
【００１２】
この発明は上記のような構成であり、次の効果を有する。
【００１３】
この発明の組箱によると、上蓋（天板）が浮き上がりにくい。したがって、隙間からゴミ、埃や虫等の異物が組箱内に侵入しにくくなる。また、上蓋が浮き上がっていないので、多くの組箱を重ね置くことができることになる。
【図面の簡単な説明】
【００１４】
【図１】この実施例の組箱１の上蓋を開けた状態を示す斜視図。
【図２】図１の縦断面図。
【図３】この実施例の底板載部を下面から見た平面図。
【図４】この実施例の組箱の上蓋を閉じた状態を示す側面図。
【図５】従来の組箱の上蓋を閉じた状態の浮き上がりを示す図。
【図６】この実施例の組箱を組み立てていく工程図。
【発明を実施するための最良の形態】
【００１５】
以下、この発明の組箱を実施するための最良の形態を、図面に基づいて詳細に説明する。
【実施例１】
【００１６】
図１はこの実施例の組箱１の上蓋を開けた状態を示す斜視図、図２は図１の縦断面図、図３は底板載部を下面から見た平面図、図４はこの組箱１の上蓋２を閉じた状態を示す側面図、図５は従来の組箱１の上蓋を閉じた状態の浮き上がりを示す側面図、図６はこの実施例の組箱１を組み立てていく工程図を示している。
【００１７】
（この組箱１の基本構成について）
この組箱１は、図１に示すように、上面視方形状の収容部３の上端一辺ｈ１に、上蓋２が開閉自在に取り付けられていると共に、前記上端一辺ｈ１と隣合う上端二辺ｈ２にそれぞれフラップ４が内側に向って取り付けられ、前記上蓋２の先端に設けた差込み部５を、前面板３の内面側に差し込むようにして閉蓋できるようになっている。
【００１８】
ここで、図１に示すように、上蓋２の左及び右外側に同一平面上に伸びる膨み防止板２０を設け、前記膨み防止板２０と上蓋２との境目をハーフカットした後折り曲げて当該上蓋２の内面に膨み防止板２０を貼り付け、上蓋２の開閉支点側と膨み防止板２０の下側部とは、上蓋２の開閉時において相互に緩衝しないようになっている。更に、差込み部５を前面板３０の内側に挿入した状態では、膨み防止板２０と差込み部５とが緩衝しないようにしてある。
【００１９】
また、上記収容部３は、図１〜図３に示すように、連接板３２と、左右の側面板３１、３１と、前面板３０と、前記連接板３２と繋がる底板３３とを有するものであり、前記底板３３は、底板載部５０、５１、５２により支えられている。
【００２０】
さらに、上記前面板３０は、図１に示すように、二枚の紙片３０ａ，３０ｂを折り込んで構成されており、内面側の紙片３０ｂは外面側の紙片３０ａよりも少し短く設定してある。そして、図２に示すように、上記底板３３が、二点鎖線の状態から実線の状態に移動したときには、「カチッ」という衝突音がなり、底板３３が嵌まりこんで底板載部５０、５１、５２上に載置されていることが聴覚的に判断できるようにしてある。他方、上記前面板３０には円弧状の凹み部３５（一般に爪掛けという）を設け、これにより上蓋２を開けやすくできるようにしてある。
【００２１】
（この組箱１の詳細な構成について）
「膨み防止板２０の構成」
膨み防止板２０は内側に向って縦長さが徐々に短くなるようにしてあり、膨み防止板２０の幅は上蓋２の幅寸法の１／３〜１／４程度である。
【００２２】
また、膨み防止板２０は、下側が４５°程度（４０°〜５０°）の角度で上がっている形態を採っている。
【００２３】
（この組箱１の優れた効果について）
Ａ．上蓋（天板）が浮き上がりにくくなる効果
この組箱１は、上蓋２の左及び右外側に同一平面上に伸びる膨み防止板２０を設け、前記膨み防止板２０と上蓋２との境目をハーフカットした後折り曲げて当該上蓋２の内面に膨み防止板２０を貼り付け、上蓋２の開閉支点側と膨み防止板２０の下側部とは、上蓋２の開閉時において相互に緩衝しないようにしている。
【００２４】
また、差込み部５を前面板３０の内側に挿入した状態では、膨み防止板２０と差込み部５とが緩衝しないようにしてある。
【００２５】
更に、上蓋２に対して膨み防止板２０が糊付けされており、上蓋２全体の剛性が向上している。
【００２６】
以上の３つの有機的結合により、この組箱によると、上蓋（天板）が浮き上がりにくい。したがって、隙間からゴミ、埃や虫等の異物が組箱内に侵入しにくくなる。また、上蓋が浮き上がっていないので、多くの組箱を重ね置くことできる。この実施例の組箱１（図４参照）と従来の組箱（図５参照）からして明らかに相違する。
【００２７】
Ｂ．その他の効果
図２に示すように、上記底板３３が、二点鎖線の状態から実線の状態に移動したときには、「カチッ」という音がなり、底板３３が嵌まりこんで底板載部５０、５１、５２上に載置されていること、即ち組箱１が適正に組みたてられていることが聴覚的に判断できる。
【００２８】
（この組箱１の組立について）
以下に、この組箱１の組立順序について説明する。
（ａ）裏面側（内側）を上向きにして配置する。
（ｂ）膨み防止板２０、２０と、紙片３０ｂに糊を塗布する。
（ｃ）膨み防止板２０、２０を上蓋２の裏面に糊付けすると共に、紙片３０ｂを紙辺３０ａに糊付けする。
（ｄ）底板３３を上蓋２上に折り畳む。
（ｅ）側面板３１上に底板載部５２、５２ａを折り畳むと共に、他の側面板３１上に底板載部５０、５０ａを折り畳む。
（ｆ）紙片３０ｂ上に底板載部５１上を折り畳む。
（ｇ）底板載部５２に対して底板載部５２ａを、底板載部５０に対して底板載部５０ａをそれぞれ折り返すと共に、底板３３及び底板載部５１に、糊を塗布する。
（ｈ）（ｇ）の左側部分を右側に折り返し、隣のフラップ４上に重ねる。
（ｉ）底板載部５０を有するブロックを、糊代部６の内部に差し込む。これを開いていくと図１に示す組箱１が完成する。
【００２９】
上記のような工程は、人力によりなし得るが、自動機械によっても比較的簡単に（ａ）〜（ｉ）の貼り加工をすることができる。
【符号の説明】
【００３０】
１        組箱
２        上蓋
２０      膨み防止板
３        収容部
３０      前面板
３１      側面板
３２      連接板
４        フラップ
５        差込み部
５０      底板載部
５１      底板載部
５２      底板載部
６        糊代部
【図１】
2011057273.tif 000003
【図２】
2011057273.tif 000004
【図３】
2011057273.tif 000005
【図４】
2011057273.tif 000006
【図５】
2011057273.tif 000007
【図６】
2011057273.tif 000008